(57)【要約】【課題】コンパクトで省スペースであり且つユーザがＣＤを容易に取り出すことができる収納器具を提供する。【解決手段】ハウジング１を備えた複数のＣＤを収納する器具は、同ハウジングはその長手軸線に沿って水平に向けられると共に、少なくともその二つの端部側にスタンド要素４を有する。さらに当該器具は、各ＣＤを収納すべく、並んで配置され、長手軸線に垂直に向けられ且つハウジングに取り付けられた複数のコンパートメント要素６であって長手軸線に平行に延びる軸線の周りにおいてハウジング内の収納位置からハウジング外の取出可能位置へと外方へ揺動され得る複数のコンパートメント要素を有する。【選択図】　　　図１
0003097097.tif 000002
【実用新案登録請求の範囲】
【請求項１】
ハウジング（１）を備えた複数のＣＤを収納する器具であって、上記ハウジングは、その長手軸線が水平になっていると共に二つの端部側（２、３）にスタンド要素を具備し、更に、各ＣＤを収容するための複数のコンパートメント要素であって、上記長手軸線に対して垂直に延びる回動軸（７）周りで上記ハウジング（１）内の収納位置から該ハウジング（１）外の取出可能位置へと外方へ揺動できるように、上記長手軸線に対して垂直に並んで配置されるコンパートメント要素を具備する器具。
【請求項２】
固定された少なくとも一つのロック・ブレーキ用バネ要素（１１、１２）が上記コンパートメント要素（６）と協働し、該ロック・ブレーキ用バネ要素（１１、１２）は少なくとも上記コンパートメント要素（６）が外方へ揺動されたときに作動することを特徴とする請求項１に記載の器具。
【請求項３】
各コンパートメント要素（６）は、上記ハウジング（１）に回転不可能なように連結されたベアリング本体（９）に取付られることを特徴とする請求項１または２に記載の器具。
【請求項４】
上記ロック・ブレーキ用バネ要素（１１、１２）は上記ベアリング本体（９）に配置されることを特徴とする請求項１〜３のいずれか１項に記載の器具。
【請求項５】
上記ロック・ブレーキ用バネ要素（１１、１２）は、上記コンパートメント要素（６）に連結された制御用外形部（１３、１４）に作用する指状渦巻バネとして形成されることを特徴とする請求項１〜４のいずれか１項に記載の器具。
【請求項６】
上記制御用外形部（１３、１４）は、少なくともコンパートメント要素（６）が内方へ揺動した収納位置でのロックポイント（１５、１６）を具備し、外方へ揺動するときには上記ロック・ブレーキ用バネ要素（１１、１２）の力に抗して該ロックポイントを乗り越えなければならないことを特徴とする請求項１〜５のいずれか１項に記載の器具。
【請求項７】
上記制御用外形部（１３、１４）は端部に停止ノーズ（１６、１７）を具備し、終了位置にコンパートメント要素を支持するために、該停止ノーズに上記ロック・ブレーキ用バネ要素（１１、１２）の自由端が当接することを特徴とする請求項１〜６のいずれか１項に記載の器具。
【請求項８】
上記第一のロック・ブレーキ用バネ要素（１１）とは反対向きに第二のロック・ブレーキ用バネ要素（１２）が設けられ、該第二のロック・ブレーキ用バネ要素（１２）は対応するコンパートメント要素が内方へ揺動したときに作動し、さらに、ロックポイント（１６）および停止ノーズ（１７）を備えた対応の第二の制御用外形部（１４）が設けられることを特徴とする請求項１〜７のいずれか１項に記載の器具。
【請求項９】
断面形状が多角形であるロッド（８）が上記ハウジング（１）に回転しないように配置され、各ベアリング本体（９）が上記ロッドに押入れられ、さらに、該ロッド上記はコンパートメント要素（６）の回動軸（７）を画成することを特徴とする請求項１〜８のいずれか１項に記載の器具。
【請求項１０】
上記ハウジング（１）は基本的に二つの端部プレート（２、３）から形成され、これら端部プレートは長手軸線に対して垂直に向いており、壁状シェル（５）が上記端部プレート（２、３）に堅固に連結されることを特徴とする請求項１〜９のいずれか１項に記載の器具。
【請求項１１】
上記壁状シェル（５）は円筒の一部として形成され、上記ハウジング（１）の全長に亘って延びる開口は自由のままであり、上記コンパートメント要素（６）は、上記壁状シェルの外形部と共に、収納位置において壁状シェルの円筒形状を完成させ、ほぼ円筒形状を形成することを特徴とする請求項１〜１０のいずれか１項に記載の器具。
【請求項１２】
上記コンパートメント要素（６）はそれぞれほぼ鎌状の側方プレート（２０）を具備し、該側方プレートにはベアリング本体（９）を包囲するベアリングリング（１０）が設けられ、上記側方プレートの周囲には少なくとも一つの収納されるＣＤ用の支持要素（２１）が設けられることを特徴とする請求項１〜１１のいずれか１項に記載の器具。
【請求項１３】
上記側方プレート（２０）に平行に且つ該側方プレートから所定距離をおいて内方に向かって延びる把持用プレート（２２）が、上記ベアリングリング（１０）から離れた上記支持要素（２１）の端部に設けられることを特徴とする請求項１〜１２のいずれか１項に記載の器具。
【請求項１４】
上記支持要素（２１）は、ＣＤの外周に該支持要素の周囲外形が対応するようにほぼ半円状で、コンパートメント要素（６）の側方プレート（２０）に配置されることを特徴とする請求項１〜１３のいずれか１項に記載の器具。
【請求項１５】
上記ベアリングリング（１０）は、上記支持要素（２１）の下方端部領域が収納位置において上記スタンドの平面Ｅに対して上記ハウジングの内部空間へと持ち上がるように、上記コンパートメント要素（６）に配置されることを特徴とする請求項１〜１４のいずれか１項に記載の器具。
【請求項１６】
各コンパートメント要素（６）には把持用ノーズ（２４）が設けられることを特徴とする請求項１〜１５のいずれか１項に記載の器具。
【請求項１７】
長手軸線の方向に見て、上記コンパートメント要素（６）の把持用ノーズ（２４）が周方向に互い違いに配置されることを特徴とする請求項１〜１６のいずれか１項に記載の器具。
【考案の詳細な説明】
【０００１】
【考案の属する技術分野】
本考案は、複数のＣＤを収納する器具に関する。
【０００２】
【従来技術及び考案が解決しようとする課題】
音楽やデータ等を記録したコンパクトディスク（以下、ＣＤと称す）を収納する場合、一つの家具としてコラムもしくはキャビネットの形態に構成された収納器具にＣＤを入れる代わりに、通常のヒンジ付き保護ケースなしでテーブル上の容易に利用できる器具に入れておきたい場合がよくある。
【０００３】
【課題を解決するための手段】
この目的を達成するために本考案は、ハウジングを備えた複数のＣＤを収納する器具であって、同ハウジングはその長手軸線に沿って水平に向けられると共に、少なくともその二つの端部側にスタンド要素を有し、更に、各ＣＤを収納すべく、並んで配置され、長手軸線に垂直に向けられ且つハウジングに取り付けられた複数のコンパートメント要素（ｃｏｍｐａｒｔｍｅｎｔ　ｅｌｅｍｅｎｔ）であって長手軸線に平行に延びる軸線の周りにおいてハウジング内の収納位置からハウジング外の取出可能位置へと外方へ揺動され得る複数のコンパートメント要素を有する、器具を提案する。コンパートメント要素を収納位置になるように中へと揺動すると、コンパクトで省スペースの収納器具となる。そしてこのコンパートメント要素はその中に保持されているＣＤをユーザが容易につかむことができるように外方へ揺動され、ＣＤが取り出される。
【０００４】
本考案の適切な構成においては、少なくとも一つの固定のロックイン（ｌｏｃｋ−ｉｎ）およびブレーキ用バネ要素（以下、「ロック・ブレーキ用バネ要素」と称す）が各コンパートメント要素に結合され、これは少なくともコンパートメント要素が外方へ揺動された時に作用する。上記ロック・ブレーキ用バネ要素の提供により、各場合において、ばねがロックイン要素として作用し且つコンパートメント要素を外方へ揺動する場合には所定の抵抗力に打ち勝たなければならなくなるように外方へ揺動する際に上記コンパートメント要素上にばねによるブレーキ効果を働かせるように作用することによって、上記コンパートメント要素を収納位置に保持することができるようになる。この点で、各コンパートメント要素に対して第二のロック・ブレーキ用バネ要素を提供し、これを第一のロック・ブレーキ用バネ要素と反対側に向けて、上記の関連するコンパートメント要素を内方へ揺動する時に作用するようにすることはまた適切である。このことは、上記コンパートメント要素が取出可能位置からの揺動に対して固定され、それ故に上記コンパートメント要素が可能な傾斜動作の間に揺動されることなくＣＤが取り出され得るということを保証する。
【０００５】
本考案の更なる有利な特徴および構成は請求の範囲に示され、且つ以下の実施形態の概略図の説明に詳細に示されている。
【０００６】
【考案の実施の形態】
ＣＤを収納する器具に関する図１に示されたプラスチック材料製の実施形態は、その長手軸線方向に沿って水平に向けられたハウジング１を本質的に含んでおり、各場合においてスタンド要素４を備えている端部壁２および３を有する。上記端部壁２および３は壁状シェル５によってハウジングの後ろ側にて堅固に接続されている。ここで示された実施形態においては、上記壁状シェル５は半円筒シェルのようなほぼ円筒形状で形成されている。ハウジング１の前側は、並んで配置され長手軸線に対して垂直に向けられた複数のコンパートメント要素６によって閉じられており、これらコンパートメント要素６は、各ＣＤを収納すべく、これらが長手軸線に平行に延びる軸線７（図２）の周りにおいてハウジング１内の収納位置（図２）からハウジング１外の取出可能位置（図３）へと外方へ揺動され得るようにハウジング１に取り付けられる。図２および図３においては、コンパートメント要素６が一つだけ示されている。
【０００７】
揺動軸７は多角形断面を有するロッド８によって構成され、同ロッドは金属製であって二つの端部壁２および３に回転しないように取り付けられており、例えば同ロッド８上にコンパートメント要素６と協働する各ベアリング本体８が回転不可能なように押圧される。各コンパートメント要素６は成形ベアリングリング１０によってベアリング本体９に揺動可能に取り付けられ、その結果、図２と図３との比較からわかるように、コンパートメント要素６はその収納位置（図２）からその取出可能位置（図３）へと外方へ揺動され得る。
【０００８】
壁状シェル５は両側においてフック形状のラグ５．１を備え、同ラグは二つの端部壁２および３にある対応するアンダーカット溝（ｕｎｄｅｒｃｕｔ　ｇｒｏｏｖｅ）に押し入れられ、壁状シェル５と端部壁２および３とが堅固にロックした状態で連結される。
【０００９】
コンパートメント要素６の取り付けは、関連するコンパートメント要素６の収納位置についての端面図で示され、拡大されている。ベアリング本体９は、その対応する中央凹部が四角い断面のロッド８に入るように押圧される。コンパートメント要素６におけるベアリングリング１０はベアリング本体９をその外部周縁において包囲し、ベアリング本体９のサブ領域９．１とベアリングリング１０の対応するサブ領域１０．１とがちょうど円筒状表面として形成される。Ｅは台等の面を示す。
【００１０】
ベアリング本体９は、二つのロック・ブレーキ用バネ要素１１および１２を備え、これらは互いに軸対称に配置され、指状の渦巻ばねとして形成され、コンパートメント要素６の揺動平面において可撓である。これらの渦巻ばねの自由端１１．１および１２．１はそれぞれ、ベアリング本体９の円筒状周囲外形９．１を超えて突出する。
【００１１】
ベアリングリング１０には、渦巻バネ１１用の制御用外形部１３と渦巻バネ１２用の制御用外形部１４とが渦巻バネ１１、１２の作動範囲内において周囲外形部９．１に関連するベアリングリング１０の側部に設けられている。制御用外形部１３、１４のそれぞれは、沈み式ロックポイント１５、１６のそれぞれが二つの円筒状表面１０．１に順次に設けられるように形成されている。
【００１２】
図５に示される収納位置に関して、制御用外形部１３はロックポイント１５から渦巻バネ１１の自由端１１．１の方向に延びており、制御用外形部１３は円筒状表面１０．１の半径に相当する半径Ｒ１から開始して、中心までの距離がさらに大きい距離Ｒ２まで増加しつつ渦巻バネ１１の自由端１１．１の方向に向かい、停止ノーズ１７．１において終端している。
【００１３】
渦巻バネ１１の外形は、渦巻バネ１１の中心までの距離がベアリング本体におけるベース１１．２から自由端１１．１まで増加するように形成されている。
【００１４】
渦巻バネ１２とこれに関連する制御用外形部１４とは同様に整形されていて、支持ノーズ１７．２で終端している。
【００１５】
コンパートメント要素６が、図４および図５に示される収容位置から図７および図８に示される取出可能位置まで矢印１８の方向に揺動され、制御用外形部１３において渦巻バネ１１の自由端が制御用外形部１３に及ぼす摩擦力は回動運動に応じて高まり、それにより、回動動作が特定の力を消費しながらのみ行われるようになる。次いで渦巻バネ１１の自由端１１．１は図７および図８に示される終了位置におけるロックポイント１５内に位置する。
【００１６】
渦巻バネ１２の外面が関連する制御用外形部１４に押し当たって配置される前に、渦巻バネ１２の自由端１２．１は傾斜ランプ１６．１を同様に乗り越える必要があり、この自由端１２．１は図７および図８に示される取出可能位置において停止ノーズ１７に押し当てるように位置すると共にこの自由端１２．１によってコンパートメント要素６がこの取出可能位置に確実に固定される。次いで渦巻バネ１１の自由端１１．１はロック凹部１５内に進入し、それにより、ランプ１５．１が渦巻バネ１１の自由端１１．１に及ぼす対応する反力を越えることによってのみ収容位置への復帰運動を行うことができるようになる。
【００１７】
図６は図４および図５に基づく位置を斜視方向より示している。同一の構成要素には同一の参照番号が付されており、それにより、前述した説明を参照できるようになる。
【００１８】
図７、図８および図９は結果的に取出可能位置まで外方へ揺動したコンパートメント要素６を示している。
【００１９】
図３から分かるように、各コンパートメント要素６はほぼ鎌状に整形された側方プレート２０を含んでおり、この側方プレート２０には支持用ウェブ２１が側方プレート２０の外周面に設けられている。支持用ウェブ２１には、内方を向いた把持用プレート２２が円筒状表面１０から遠方に在る支持用ウェブ２１の端部に設けられており、この把持用プレート２２は側方プレート２０から或る距離をおいて側方プレート２０に対して平行に延びている。好ましい実施形態においては支持用ウェブ２１は同時にコンパートメント要素６の外形を形成している。支持用ウェブ２１はほぼ半円をなすよう延びていて、周囲外形の寸法に関しては挿入されるべきＣＤの外周に対応している。支持用ウェブは少なくともベアリングリング１０の領域において溝状に整形されており、それにより、一方側では支持用ウェブ２１の溝状に整形された部分によって、他方側では重ね合わさった把持用プレート２２によって、挿入されたＣＤがＣＤの縁部において確実に保持されるようになる。図３に示される取出可能位置においてはＣＤを揺動式コンパートメント要素内に容易に挿入できる。
【００２０】
ＣＤが挿入されたコンパートメント要素が図２および図４に示される収容位置まで回動する場合には、挿入されたＣＤは図４において一点鎖線で示すようにコンパートメント要素内に確実に保持される。図４から明らかなように、この場合にはベアリングリング１０は、支持用ウェブ２１の下方の溝状に整形された端部領域２３が図示される収容位置においてスタンドの平面Ｅよりも持ち上がるように、コンパートメント要素６に配置される。
【００２１】
個々のコンパートメント要素のそれぞれには把持用ノーズ２４が設けられている。この点に関し、長手軸線から見るとこの配列体は、順次のコンパートメント要素６の把持用ノーズが図１に示されるように周方向に互い違いに配置されるようになっている。
【００２２】
本考案は図面から見ると前述した実施形態に制限されない。ハウジングはハウジングの後壁を円筒部の半殻として形成する必要はない。他の形状を採用することもできる。コンパートメント要素の外形が円形である絶対的な必要性はない。異なる外形を想定することもできる。コンパートメント要素の外形が多角形状である場合であっても、支持用ウェブの内面（ｉｎｎｅｒ　ｔｒｅｎｄ）を円の一部として形成する必要がある。しかしながら、支持用ウェブは連続的である必要がなく、支持用ウェブを支持用肩部、例えば少なくとも二つの支持用肩部に分割することもできる。コンパートメント要素が収容位置または取出可能位置まで回動する際にＣＤがコンパートメント要素から滑落する可能性を有することなしに、挿入されたＣＤを図４に示される収容位置に確実に保持させるのが極めて重要である。
【図面の簡単な説明】
【図１】コンパートメント要素を備えた複数のＣＤを収納するための器具の斜視図であって、コンパートメント要素は収納位置にある。
【図２】端部プレートが取り除かれ且つ一つのコンパートメント要素が収納位置にある状態の図１の器具を示す。
【図３】図２の状態をコンパートメント要素が取出可能位置にある状態に変えた図である。
【図４】収納位置にあるコンパートメント要素の端面図である。
【図５】収納位置にあるコンパートメント要素のロック・ブレーキ用バネ要素の部分拡大図である。
【図６】図５の構成の斜視図である。
【図７】取出可能位置にある図４の構成を示す。
【図８】取出可能位置にある図５の構成を示す。
【図９】図８の構成の斜視図である。
【符号の説明】
１…ハウジング
２、３…端部プレート
４…スタンド要素
６…コンパートメント要素
９…ベアリング本体
１０…ベアリングリング
１１…ロック・ブレーキ用バネ要素
１３、１４…制御用外形部
１５、１６…ロックポイント
【図１】
0003097097.tif 000003
【図２】
0003097097.tif 000004
【図３】
0003097097.tif 000005
【図４】
0003097097.tif 000006
【図５】
0003097097.tif 000007
【図６】
0003097097.tif 000008
【図７】
0003097097.tif 000009
【図８】
0003097097.tif 000010
【図９】
0003097097.tif 000011